(57)【特許請求の範囲】
【請求項１】
少なくとも音声データ領域およびインデックス情報領域を有する記憶媒体と、
前記記憶媒体に対してデジタル信号に変換された音声データおよび該音声データに関するインデックス情報の書込みを制御すると共に、前記記憶媒体に記憶されている該音声データに関するインデックス情報に基いて音声データの読み出しを制御する制御手段と、
電池を収納する電池収納部の蓋が開けられたことを検出する蓋開放検出手段と、
外部通信機器と通信するための通信手段とを備え、前記外部通信機器との通信を行なう通信モード中において、前記蓋開放検出手段から蓋が開けられたことを示す信号が前記制御手段に供給されたときは、前記通信動作を終了して低消費電流モードに入り、
前記通信モード中および通信モード非解除状態の低消費電流モード中は、スイッチ入力の検出およびこれに関連した所定のシーケンスの実行を禁止することを特徴とする音声記録再生装置。
【請求項２】
少なくとも音声データ領域およびインデックス情報領域を有する記憶媒体と、
前記記憶媒体に対してデジタル信号に変換された音声データおよび該音声データに関するインデックス情報の書込みを制御すると共に、前記記憶媒体に記憶されている該音声データに関するインデックス情報に基いて音声データの読み出しを制御する制御手段と、
電池を収納する電池収納部の蓋が開けられたことを検出する蓋開放検出手段と、
外部通信機器と通信するための通信手段とを備え、前記外部通信機器との通信を行なう通信モード中において、前記蓋開放検出手段から蓋が開けられたことを示す信号が前記制御手段に供給されたときは、前記通信動作を終了して低消費電流モードに入り、
前記蓋開放検出手段から蓋が開けられたことを示す信号が前記制御手段に供給されているときは、通信モードへの移行を禁止することを特徴とする音声記録再生装置。
【発明の詳細な説明】
【０００１】
【発明の属する技術分野】
本発明は、通信機能を備えた音声記録再生装置に関する。
【０００２】
【従来の技術】
近年、音声信号をデジタルデータに変換した後、書き換え可能な記憶媒体としてのフラッシュメモリに記憶し、前記フラッシュメモリに記憶された音声データをアナログ化して再生するという携帯型の音声記録再生装置が実用化されている。
【０００３】
【発明が解決しようとする課題】
しかしながら、たとえば電池で動作する音声記録再生装置の場合、録音中に電池が不用意に外れ（取り外され）てしまうと、通常はそれまでに録音した音声データが正常に再生できなくなる。そこで、特開平１０−９１５４０号公報には、電池蓋の開放が起きたときは、実行中の録音シーケンスを速やかに終了させることが提案されている。
【０００４】
すなわち、電池が抜かれてシーケンス制御が完全にダウンする前に、少なくとも音声データと音声データを再生するのに必要な管理情報を半導体メモリに書き込むことにより、それまでに録音された音声データを再生できるようにしている。
【０００５】
ところで、通信機能を持つ音声記録再生装置の場合、たとえばパソコンの記憶媒体へ音声データをロード中に電池が不用意に外れ（取り外され）てしまうと、上記録音中の不具合と同様に、それまでに送られた音声データが正常に再生できなくなる。このため、通常は電池外れが完全に回復した後、通信中断以前の音声データをすべて破棄して再ロードしなければならない。このように操作性が悪いと操作者に与える不安やストレスも大きい。
【０００６】
本発明は、かかる問題点に鑑みてなされたものであり、通信中に電池が不用意に外れ（取り外され）ても、それまでに実行した通信内容を正常に復活させることができる音声記録再生装置を提供することを目的とする。
【０００７】
【課題を解決するための手段】
上記の目的を達成するために、本発明による音声記録再生装置は、少なくとも音声データ領域およびインデックス情報領域を有する記憶媒体と、前記記憶媒体に対してデジタル信号に変換された音声データおよび該音声データに関するインデックス情報の書込みを制御すると共に、前記記憶媒体に記憶されている該音声データに関するインデックス情報に基いて音声データの読み出しを制御する制御手段と、電池を収納する電池収納部の蓋が開けられたことを検出する蓋開放検出手段と、外部通信機器と通信するための通信手段とを備え、前記外部通信機器との通信を行なう通信モード中において、前記蓋開放検出手段から蓋が開けられたことを示す信号が前記制御手段に供給されたときは、前記通信動作を終了して低消費電流モードに入り、前記通信モード中および通信モード非解除状態の低消費電流モード中は、スイッチ入力の検出およびこれに関連した所定のシーケンスの実行を禁止することを特徴とする。
【０００９】
また、前記蓋開放検出手段から蓋が開けられたことを示す信号が前記制御手段に供給されているときは、通信モードへの移行を禁止することを特徴とする。
【００１０】
【発明の実施の形態】
以下、図面を参照して本発明の実施の形態を説明する。
図１に、本発明の一実施形態である音声記録再生装置（以下、「ＩＣレコーダ」という）のブロック構成を示す。
【００１１】
本実施形態のＩＣレコーダは、音声を電気信号に変換するマイクロフォン１を具備しており、該マイクロフォン１からの音声出力は、接続されたマイクアンプ(ＡＭＰ)２によって増幅されるようになっている。このマイクアンプ２で増幅されたアナログの音声信号は、ローパスフィルタ(ＬＰＦ)３で不要な周波数帯域をカットした後Ａ/Ｄ変換器(Ａ/Ｄ)４に入力される。前記Ａ/Ｄ変換器４において、デジタル信号に変換された音声信号は、デジタル信号処理部(ＤＳＰ)１５に入力される。このデジタル信号処理部１５は、録音時にはシステム制御部１２に制御されて前記Ａ/Ｄ変換器４でデジタル信号に変換された音声信号をフレーム単位で一定のフォーマットのデータに圧縮変換(符号化)し、符号化されたデータは一時的にシステム制御部１２の図示しないバッファメモリに音声データとして記憶される。
【００１２】
一方、再生時の前記デジタル信号処理部１５は、システム制御部１２に制御されて該システム制御部１２の図示しないバッファメモリから音声データをフレーム単位で伸長変換(復号化)する処理を行ない、復号化されたデジタル信号は、Ｄ/Ａ変換器(Ｄ/Ａ)５に対して出力される。前記Ｄ/Ａ変換器５でアナログ信号に変換された音声信号は、ローパスフィルタ(ＬＰＦ)６で不要な周波数帯域をカットした後、パワーアンプ(ＡＭＰ)７で増幅される。そして、スピーカ８から音声として出力される。前記システム制御部１２はＣＰＵで構成されており、前記デジタル信号処理部１５以外に、記憶部(メモリ)１４、操作部１３、表示部１１、および通信用インターフェース部１０が接続されている。記憶部１４は、不揮発性の半導体メモリ、たとえばフラッシュメモリ等で構成されており、録音時は前記デジタル信号処理部１５で符号化された音声データを前記システム制御部１２の図示しないバッファメモリを介して記憶する。このとき、音声データに関するインデックス情報も記憶する。操作部１３は、録音スイッチ(ＲＥＣ)、再生スイッチ(ＰＬＡＹ)、停止スイッチ(ＳＴＯＰ)、早送りスイッチ(ＦＦ)、早戻しスイッチ(ＲＥＷ)、メニュースイッチ(ＭＥＮＵ)等の各種スイッチが機能別に配設されている。
【００１３】
表示部１１は、前記操作部１３のいずれかのスイッチ操作により、所定のシーケンスが開始したときの動作モード、またはその後の動作状況を表示する。たとえば、録音スイッチ(ＲＥＣ)を押した場合は、録音の経過時間、録音可能な残り時間、およびファイルナンバー等を表示する。また、メニュースイッチ(ＭＥＮＵ)を押した場合は、マイク感度(高／低)、録音モード(標準／ロング)、およびアラーム(オン／オフ)等の機能選択に関連した表示を行なう。さらに、前記システム制御部１２が時計機能を有しているときは、現在日時の表示も行なう。
【００１４】
通信用インターフェース部１０は、前記システム制御部１２とＰＣ(パソコン)９のそれぞれに接続されており、前述したようにＩＣレコーダ１６をＰＣ９に接続した時点でＩＣレコーダ１６がスレーブ状態になる。ＩＣレコーダ１６の通信用インターフェース部１０に接続されたＰＣ９は、システム制御部１２を介して、記憶部１４のデータを読み書きすることができる。また、マイクロフォン１に入力された音声を前述の圧縮変換処理を経て音声データに変換した後、システム制御部１２を介してＰＣ９の図示しない記憶媒体に直接記憶したり、逆に、ＰＣ９の図示しない記憶媒体に記憶されている音声データを前述の伸長変換処理を経てスピーカ８から音声として出力することもできる。
【００１５】
つぎに、本実施形態のＩＣレコーダの動作を図３および図４を参照しながら説明する。
図３は、本実施形態のＩＣレコーダのメイン動作を示すフローチャート、図４は本実施形態のＩＣレコーダの通信中電池蓋開放時の割込み処理を示すフローチャートである。図３に示すように、当該ＩＣレコーダがパワーオンされると、システム制御部１２は所定の初期設定(Ｓ１)、およびタイマスタート(Ｓ２)を実行する。このタイマは、所定時間経過後にＩＣレコーダが通常の動作モードから待機モード(低消費電流モード)に入るための時間を計時する。そして、通信コネクタが接続されているか否かを判断(Ｓ３)して、非接続状態の場合は、通常のＩＣレコーダ単体の動作モードに入る。
【００１６】
ちなみに、通信コネクタの接続有無は、図示しないコネクタの予め決められた所定の信号ピンの電圧レベル(ＨまたはＬレベル)を検出することにより、容易に判断することができる。通常のＩＣレコーダ単体の動作モードに入ると、ステップ(Ｓ４)〜(Ｓ９)に示すスイッチ検出動作により、録音スイッチ(ＲＥＣ)、再生スイッチ(ＰＬＡＹ)、早送りスイッチ(ＦＦ)、早戻しスイッチ(ＲＥＷ)、停止スイッチ(ＳＴＯＰ)、メニュースイッチ(ＭＥＮＵ)の順にオンしたスイッチがあるか否かを検出する。オンされたスイッチが録音スイッチ(Ｓ４)であるならば、録音処理のサブルーチン(Ｓ１２)を実行する。同様に、オンされたスイッチが再生スイッチ(Ｓ５)であるならば再生処理のサブルーチン(Ｓ１３)、オンされたスイッチが早送りスイッチ(Ｓ６)であるならば早送り処理のサブルーチン(Ｓ１４)、オンされたスイッチが早戻しスイッチ(Ｓ７)であるならば早戻し処理のサブルーチン(Ｓ１５)、オンされたスイッチが停止スイッチ(Ｓ８)であるならば停止処理のサブルーチン(Ｓ１６)、オンされたスイッチがメニュースイッチ(Ｓ９)であるならばメニュー変更処理のサブルーチン(Ｓ１７)を実行する。そして、サブルーチン実行後は、前記タイマを再スタート(Ｓ１８)させてメインループに戻る。
【００１７】
なお、上記録音処理、再生処理、早送り処理、早戻し処理、停止処理、およびメニュー変更処理の各処理は、周知の技術手段を用いて実施しており、また、本発明内容に直接関係しないので詳しい説明は省略する。
【００１８】
すべてのスイッチがオフしている場合は、前記タイマの計時時間と予め決められた所定時間との比較判定(Ｓ１０)がメインループ中で繰り返し行なわれ、計時時間が所定時間をオーバーした時点で待機モードのサブルーチン(Ｓ１１)に入る。
【００１９】
一方、通信コネクタが接続されると、前記通信コネクタ接続判断(Ｓ３)において接続中と判断されて通常のＩＣレコーダ単体の動作モードから通信モードに自動的に切り換わる。つづいて、パソコンからコマンドが送られる(Ｓ１９)と、そのコマンドに応じた通信処理を実行(Ｓ２１)して再びコマンド待ちとなる。コマンド待ちの間、前記タイマの計時時間と予め決められた所定時間との比較判定(Ｓ２０)が繰り返し行なわれ、計時時間が所定時間をオーバーした時点で待機モードのサブルーチン(Ｓ１１)に入る。待機モードに入ると図１のＩＣレコーダ１６は、低消費電流動作になる。具体的には、図１のマイクアンプ(ＡＭＰ)２、ローパスフィルタ(ＬＰＦ)３、Ａ/Ｄ変換器(Ａ/Ｄ)４、デジタル信号処理部(ＤＳＰ)１５、Ｄ/Ａ変換器５、ローパスフィルタ(ＬＰＦ)６、パワーアンプ(ＡＭＰ)７、表示部１１、記憶部１４、および通信用インターフェース部１０の電源を遮断、もしくは各ブロックを構成する図示しないＩＣに設けられているチップイネーブル端子に、システム制御部１２から非選択信号を出力することにより、低消費電流状態になる。このとき、システム制御部１２のＣＰＵは、自らも動作クロックを最も消費電流の少ない低速クロックに切り換えて低消費電流状態になる。場合によっては、動作クロックをメインクロック(たとえば、9.28MHz)からサブクロック(たとえば、32.768kHz)に切り換えて、その後通信が再開されるかあるいはスイッチ入力が検出されるまでメインクロックを完全に停止させてもよい。
【００２０】
つぎに、図４に示すように、通信モード中に電池蓋の開放が起きると、システム制御部１２は、ただちに通信終了処理(Ｓ３０)を実行して低消費電流動作を開始(Ｓ３１)する。なお、前記電池蓋の開放検出については、後で詳しく説明する。
【００２１】
そして、電池蓋が閉じる(Ｓ３２)まで、前記低消費電流動作のまま待機状態になる。その後、電池蓋が完全に閉じられ、通信コネクタ接続判断(Ｓ３３)において接続中と判断されると、通信再開待ち(Ｓ３４)となり、パソコンから何らかのコマンドが送られるまでこの状態を維持する。通信再開時は、通常動作モード(低消費電流動作から復帰した状態)を設定(Ｓ３６)してメインループに戻る。もし、通信コネクタ接続中のループにおいて通信コネクタの接続が解除されると、スイッチ入力待ち(Ｓ３５)となり、操作部におけるいずれかの操作スイッチがオンするまでこの状態を維持する。その後、スイッチがオンすると、前記通信再開時と同様に通常動作モードを設定(Ｓ３６)してメインループに戻る。
【００２２】
図２は、本実施形態のＩＣレコーダにおいて、図１のブロック構成図に図示しない電源部を表わす。
図中システム制御部２０の電源は、電池２３の出力電圧を所定の電圧に昇圧するDC/DCコンバータ２１により供給される。また、端子Ｖｂの出力電圧は、マイクアンプ(ＡＭＰ)２およびパワーアンプ(ＡＭＰ)７等のアナログ系電源に供給される。同様に、端子Ｖｃｃの出力電圧は、デジタル信号処理部(ＤＳＰ)１５、記憶部１４、および通信用インターフェース部１０等の電源に供給される。電池蓋の開閉に連動してオン／オフするスイッチ２２は、電池蓋の開放をどの処理よりも優先的に検出しなければならないので、システム制御部２０の割込みポートに入力されている。
【００２３】
ところで、本実施形態のようなＩＣレコーダの電源には、交換のし易さおよび入手のし易さから標準的に乾電池を用いることが多い。そのため通常は、図５に示すように、たとえば単４型乾電池２本が直列に収容できる大きさのスペースを外装筐体３０の裏面等に凹状に設け、さらに、収容した電池が、使用中の振動落下等の衝撃により容易に脱落しないように、一部露出する凹み部分を完全に覆う電池蓋３４が設けられている。なお、図示は省略するが、外装筐体３０の電池蓋３４を嵌め合わせる部分には、係止凹部が形成されている。また、電池蓋３４にも前記係止凹部と合致する係止片が形成されており、電池蓋３４を横方向にスライドさせて前記外装筐体３０の一部露出する凹み部分を覆うことにより、電池蓋３４の係止片が前記外装筐体３０の係止凹部に嵌め込まれる。
【００２４】
さらに、電池蓋３４の嵌め合わせ部分には凸部３３が形成されており、電池蓋３４が外装筐体３０に完全に嵌め込まれたときに、外装筐体３０の内部に配設されたスイッチ３１を形成する突起部３２が押し込まれる。また、電池蓋３４をスライドさせて開放したときは、凸部３３による押圧状態が解除される。
【００２５】
すなわち、前記電池蓋３４の開閉に連動してスイッチ３１がオン／オフするようになっている。実際に、図２のスイッチ２２が電池蓋が開放のときオン、電池蓋が閉じたときオフになるとすれば、たとえば、通信中に操作者が誤ってＩＣレコーダを落下させて電池蓋が外れたときは、システム制御部２０がただちにスイッチ２２のオンを検出して通信終了処理を実行する。ここでいう通信終了処理とは、通信中断までにＩＣレコーダの記憶媒体からパソコンの記憶媒体へ転送された音声データが、前記パソコンの記憶媒体のどの記憶領域に記憶されたかを示す管理情報の書込み処理である。これにより、パソコンは、少なくとも通信中断までに転送された音声データを、前記管理情報に基いて再生することができる。
【００２６】
このように、本実施形態のＩＣレコーダによれば、通信動作中にＩＣレコーダを落としたり、または不用意に電池が外された場合でも、それまでに読み出しまたは書き込んだデータを正常に復活させることができるので、操作性が著しく向上する。
【００２７】
【発明の効果】
本発明によれば、通信動作中に音声記録再生装置を落としたり、または不用意に電池が外された場合でも、それまでに読み出しまたは書き込んだデータを正常に復活させることができるので、操作性が著しく向上する。
【図面の簡単な説明】
【図１】本発明の一実施形態であるＩＣレコーダの構成を示すブロック構成図である。
【図２】本実施形態のＩＣレコーダにおいて、図１のブロック構成図に図示しない電源部を表わす図である。
【図３】本実施形態のＩＣレコーダのメイン動作を示すフローチャートである。
【図４】本実施形態のＩＣレコーダの通信中電池蓋開放時の割込み処理を示すフローチャートである。
【図５】本実施形態のＩＣレコーダの電源を示す図である。
【符号の説明】
１…マイクロホン
２…マイクアンプ
３…ローパスフィルタ
４…Ａ／Ｄ変換器
５…Ｄ／Ａ変換器
６…ローパスフィルタ
７…パワーアンプ
８…スピーカ
９…パソコン
１０…通信用インターフェース部
１１…表示部
１２、２０…システム制御部
１３…操作部
１４…記憶部
１５…デジタル信号処理部
１６…ＩＣレコーダ
２１…ＤＣ／ＤＣコンバータ
２２、３１…スイッチ
２３…電池
３０…外装筐体
３２…突起部
３３…凸部
３４…電池蓋
【図１】
0004363690.tif 000002
【図２】
0004363690.tif 000003
【図３】
0004363690.tif 000004
【図４】
0004363690.tif 000005
【図５】
0004363690.tif 000006